(57)【要約】      （修正有）【課題】鋼種を簡単容易に判定できる鋼材の簡易成分判定装置を提供する。【解決手段】コンピューター１と、グラインダー３と、各種成分の鋼材の標準試験片を一定条件の下でグラインダー３に押し付けて火花を飛ばす火花試験を行い、各種成分の鋼特有の火花形状や色、破裂具合などを各種採取した教材用記録媒体２と、判定しようとする実際の鋼製品５の火花形状を先の標準試験片の場合と同一条件下でグラインダー３にて火花を飛ばす火花試験を行い、火花形状や色、破裂具合などを撮影するビデオカメラ４とを備え、教材用記録媒体２を用いてコンピューター１により各種成分の火花形状や色、破裂具合などを学習可能にし、撮影機４で撮影した実際の鋼製品５の火花形状の撮影画像と、コンピューター１に写し出された教材用記録媒体２の各種成分の火花形状の映像画像を対比して合えばその両者の成分とが同じであると判定する。【選択図】図１
0003179118.tif 000002
【実用新案登録請求の範囲】
【請求項１】
コンピューター１と、グラインダー３と、各種成分の鋼材の標準試験片を一定条件の下でグラインダー３に押し付けて火花を飛ばす火花試験を行い、各種成分の鋼特有の火花形状や色、破裂具合などを各種採取した教材用記録媒体２と、判定しようとする実際の鋼製品５の火花形状を先の標準試験片の場合と同一条件下でグラインダー３に押し付けて火花を飛ばす火花試験を行い、その場合の火花形状や色、破裂具合などを撮影する写真機又はビデオカメラなどの撮影機４とを備え、上記教材用記録媒体２を用いてコンピューター１により各種成分の火花形状や色、破裂具合やその特性を映像化し、かつその映像化された動画や静止画、拡大画像と共に音声や画面への文字表示にて各種成分の火花形状や色、破裂具合などを学習可能にする一方、上記撮影機４で撮影した判定しようとする実際の鋼製品の火花形状の撮影画像と、コンピューター１に写し出された教材用記録媒体２の各種成分の火花形状の映像画像を対比して合えばその一致した標準試験片の成分と判定しようとする実際の鋼製品５の成分とが同じであると判定するようにしたことを特徴とすることを特徴とする鋼材の簡易成分判定装置。
【考案の詳細な説明】
【技術分野】
【０００１】  本考案は、鋼材の簡易成分判定装置に関するものである。
【背景技術】
【０００２】  近年、鋼材では、各種成分の鋼材が開発され、その用途も多岐にわたってきている。これらの成分については、素材メーカーの成分シート及び素材に添付されたラベルによってのみ区分されている。しかし、少量多品種の生産体制に変わりつつある現在、その鋼種の区分も益々区雑になり重要度もましてきている現状にある。また、少量多品種少量になることにより、素材メーカーから入った１枚のラベルの素材からさまざまな形状の加工品へと付加価値を高めていく肯定において、製品そのものの成分について管理シートの紛失などのトラブルも発生する。その場合、この鋼種の推定、異材の鑑別については余り時間を要せず簡易的に試験をする方法として、ＪＩＳ  Ｇ  ０５６６で火花試験方法が規定されている。この方法は、図６に示すように調べたい鋼製品（鋼片）ＨをグラインダーＧに一定条件のもとで押し付けて火花を飛ばす火花試験を行い、そのグラインダーＧから飛び出る火花の形状や色、破裂具合などをその現場にて直接目視により観察し、その特徴から鋼種を見分けるようにしている。
【考案の概要】
【考案が解決しようとする課題】
【０００３】  しかし、上記した従来の火花試験方法によれば、その現場にて直接目視により観察しそのグラインダーＧから飛び出る火花の形状や色、破裂具合などから鋼種を見分けるために、非常に高度な熟練度を必要とする。そのため、従来、各社ではこの職人と呼ばれる熟練者がかいたが、現在ではこの技術の伝承が途絶えつつあるといった問題があった。【０００４】  そこで、本考案は、鋼種を熟練者でなくとも簡単容易に判定できる鋼材の簡易成分判定装置の提供を課題とする。
【課題を解決するための手段】
【０００５】  上記した問題を解決するため、本願の請求項１記載の考案は、コンピューター１と、グラインダー３と、各種成分の鋼材の標準試験片を一定条件の下でグラインダー３に押し付けて火花を飛ばす火花試験を行い、各種成分の鋼特有の火花形状や色、破裂具合などを各種採取した教材用記録媒体２と、判定しようとする実際の鋼製品５の火花形状を先の標準試験片の場合と同一条件下でグラインダー３に押し付けて火花を飛ばす火花試験を行い、その場合の火花形状や色、破裂具合などを撮影する写真機又はビデオカメラなどの撮影機４とを備え、上記教材用記録媒体２を用いてコンピューター１により各種成分の火花形状や色、破裂具合やその特性を映像化し、かつその映像化された動画や静止画、拡大画像と共に音声や画面への文字表示にて各種成分の火花形状や色、破裂具合などを学習可能にする一方、上記撮影機４で撮影した判定しようとする実際の鋼製品の火花形状の撮影画像と、コンピューター１に写し出された教材用記録媒体２の各種成分の火花形状の映像画像を対比して合えばその一致した標準試験片の成分と判定しようとする実際の鋼製品５の成分とが同じであると判定するようにしたことを特徴とする。
【考案の効果】
【０００６】  本考案の鋼材の簡易成分判定装置によれば、上記したように判定しようとする実際の鋼製品５の花火形状を先の標準試験片の場合と同一条件下で撮影機４により撮影し、実際に火花試験をした鋼製品５の火花形状の撮影画像と、コンピューターに写し出された教材用記録媒体２の各種成分の火花形状の映像画像を対比して合えばその一致した標準試験片の成分と判定しようとする実際の鋼製品５の成分とが同じであると判定するようにしたから、熟練者でなくとも教材用記録媒体２に記録されコンピューター１により映像化された各種成分の火花形状と、撮影された実際の鋼製品５の火花形状を詳細に観察対比させ、合えばその一致した標準試験片の成分と判定できるので、熟練者でなくともコンピューター１に映像化された画像と実際の鋼製品５とをもとに簡単容易にかつ正確に判定することができる。
【図面の簡単な説明】
【０００７】
【図１】本考案に係る鋼材の簡易成分判定装置の概要を示す説明図である。
【図２】同判定方法による火花試験の火花全体の映像説明図である。
【図３】同火花の根元部分の各部火花試験の映像説明図である。
【図４】同花火の中央部分の映像説明図である。
【図５】同火花の先端部分の映像説明図である。
【図６】従来の説明図である。
【考案を実施するための形態】
【０００８】  以下本考案の実施の形態を図に基づいて説明する。
【０００９】  図１は、本考案に係る鋼材の簡易成分判定装置を示し、簡易成分判定装置は、コンピューター１と、教材用記録媒体２と、グラインダー３と、ビデオカメラ４とを備えている。また、５は判定しようとする実際の鋼製品（鋼片）である。
【００１０】  教材用記録媒体２には、各種成分の火花の形状や色、破裂具合などを記録させる場合、火花の全体、火花の根元、中央、先端の各部にわたり、動画や静止画、拡大画像、スロー動画などで記録させる一方、各種成分の火花を観察したときの特徴、流線の色、明るさ、長さ、角度、太さ、数や、また、破裂を観測したときの特徴、形状、大きさ、花粉の有無、流線の角度などを、上記動画や静止画、拡大画像、スロー画像と共に音声や画面への文字表示などと合わせて同時に記録させ、これらの両面から学習できるように記録されている。
【００１１】  そして、教材用記録媒体２を用いてコンピューター１により各種成分の火花形状や色、破裂具合やその特性を映像化し、その映像化された動画や静止画、拡大画像と共に音声や画面への文字表示にて、各種成分の火花形状や色、破裂具合などを熟練者でなくとも簡単容易に学習できるようになされている。
【００１２】  一方、判定しようとする実際の鋼製品５を先の標準試験片の場合と同一条件下で、グラインダー３に押し付けて火花をとばす火花試験を行い、その場合の火花形状や色、破裂具合などをビデオカメラ４（写真機でもよい。）撮影する。
【００１３】  そして、実際に火花試験をした鋼製品５における火花形状の撮影画像と教材用記録媒体２の各種成分の火花形状の映像画像を対比して合えばその一致した標準試験片の成分と判定しようとする実際の製品の成分が同じであると判定するようにしたのである。
【００１４】  具体的には、実際に火花試験をした鋼製品５の撮影画像と教材用記録媒体２の各種成分の映像画像との火花形状対比観察する場合、それぞれの映像に対して図２に示すように火花の全体、図３に示すように火花の根元、図４に示すように火花の中央、図５に示すように先端の各部にわたり、流線の色、明るさ、長さ、太さ、数を観察し、また、破裂については形状、花粉の有無、流線の角度、音種などを注意深く詳細に観察するのであり、そして、その対比観察において合えばその一致した標準試験片の成分と判定しようとする実際の製品の成分とが同じであると判定することができるのである。
【００１５】  その場合、判定すべき実際の火花試験をした鋼製品５の撮影した写真又は画像と、コンピューター１の映像画面に写し出された教材用記録媒体２の各種成分の映像画像とを対比したり、或いは判定すべき実際に火花試験をした鋼製品５のビデオ撮影した映像画像をコンピューター１に取り込んでコンピューター１の映像画像に写し出される映像画像と、コンピューター１の映像画像に写し出される先の教材用記録媒体２の各種成分の映像画像とを対比したりすることになる。また、コンピューター１としては、同一のもの或いは別のものであってもよい。
【００１６】  以上のように、本願考案の鋼材の簡易成分判定装置によれば、熟練者でなくとも教材用記録媒体２に記録されコンピューター１により映像化された各種成分の火花形状と、撮影された実際の鋼製品５の火花形状とを詳細に観察対比させ、合えばその一致した標準試験片の成分と判定できるので、熟練者でなくともコンピューター１に映像化された画像と実際の鋼製品５とをもとに簡単容易にかつ正確に判定することができる。
【００１７】  また、教材用記録媒体２をもとにコンピューター１により鋼材の各種成分の火花形状や色、破裂具合などの特性をいつでも映像化して再現できるので、その再現した映像をもとに反復学習することができ、技術者の知識習得などにも用いることができる。
【符号の説明】
【００１８】１          コンピューター
２          教材用記録媒体
３          グラインダー
４          ビデオカメラ
５          判定すべき実際の鋼製品
【図１】
0003179118.tif 000003
【図２】
0003179118.tif 000004
【図３】
0003179118.tif 000005
【図４】
0003179118.tif 000006
【図５】
0003179118.tif 000007
【図６】
0003179118.tif 000008